(57)【要約】【課題】衣服の袖ぐり形状にフィットし、違和感なく装着できるようにする。【解決手段】脇用汗取りパッド１は、屈曲線５で裏面シート２側に折り曲げられ、その両側がそれぞれ、装着時に衣服の胴部側に配置される胴側領域６及び衣服の袖部側に配置される袖側領域７を形成する。屈曲線５を中心に胴側領域６及び袖側領域７に跨がって、吸収体４を厚み方向に貫通させた吸収体開口部１２が連続的又は不連続的に形成されている。前記脇用汗取りパッド１を前記屈曲線５で折り曲げた状態で、前記吸収体開口部１２の外形線が衣服の袖ぐり形状に沿うように形成されるとともに、前記吸収体開口部１２の外周部に沿って対向する前記裏面シート２、２同士を接合した接合部１４が形成されている。【選択図】図１
2019170627.tif 000002
【特許請求の範囲】
【請求項１】
吸収体と前記吸収体の肌側に配置された透液性の表面シートと前記吸収体の衣服側に配置された不透液性の裏面シートとを備え、衣服の脇の下部分の内側に取り付けて使用する脇用汗取りパッドであって、
前記脇用汗取りパッドは、屈曲線で前記裏面シート側に折り曲げられ、その両側がそれぞれ、装着時に衣服の胴部側に配置される胴側領域及び衣服の袖部側に配置される袖側領域を形成し、
前記屈曲線を中心に前記胴側領域及び袖側領域に跨がって、前記吸収体を厚み方向に貫通させた吸収体開口部が連続的又は不連続的に形成され、前記脇用汗取りパッドを前記屈曲線で折り曲げた状態で、前記吸収体開口部の外形線が衣服の袖ぐり形状に沿うように形成されるとともに、前記吸収体開口部の外周部に沿って対向する前記裏面シート同士を接合した接合部が形成されていることを特徴とする脇用汗取りパッド。
【請求項２】
前記吸収体開口部と厚み方向に重なる位置に、前記裏面シートを厚み方向に貫通させた裏面シート開口部が設けられ、前記吸収体開口部と前記裏面シート開口部とがほぼ同じ形状で形成されている請求項１記載の脇用汗取りパッド。
【請求項３】
前記吸収体開口部と厚み方向に重なる位置に、前記裏面シートを厚み方向に貫通させた裏面シート開口部が設けられ、前記裏面シート開口部が前記吸収体開口部より小さな面積で形成されている請求項１記載の脇用汗取りパッド。
【請求項４】
前記裏面シートには開口部が形成されていない請求項１記載の脇用汗取りパッド。
【請求項５】
前記表面シートには開口部が形成されていない請求項１〜４いずれかに記載の脇用汗取りパッド。
【請求項６】
前記吸収体開口部の外形線のうち、前記胴側領域及び袖側領域に対向する部分は、外側に膨出する曲線形状で形成されている請求項１〜５いずれかに記載の脇用汗取りパッド。
【請求項７】
前記吸収体開口部は、前記屈曲線を中心に前記胴側領域及び袖側領域に跨がる連続的なパターンで形成され、前記屈曲線に沿う方向に長い横長の平面形状で形成されている請求項１〜６いずれかに記載の脇用汗取りパッド。
【請求項８】
前記吸収体開口部は、少なくとも前記屈曲線に沿って所定の幅で形成された区画用吸収体によって区画されることにより、前記区画用吸収体の両側にそれぞれ離隔して配置された不連続的なパターンで形成されている請求項１〜６いずれかに記載の脇用汗取りパッド。
【発明の詳細な説明】
【技術分野】
【０００１】
本発明は、衣服の脇の下部分の内側に取り付けて使用する脇用汗取りパッドに関する。
【背景技術】
【０００２】
従来より、前記脇用汗取りパッドとして、ポリエチレンシートまたはポリエチレンシートラミネート不織布などからなる不透液性裏面シートと、不織布または透孔性プラスチックシートなどからなる透液性表面シートとの間に汗を吸収する吸収体を介在させたものが知られている。
【０００３】
前記脇用汗取りパッドは、衣服の袖ぐり（アームホール）で２つ折りにされ、身体側と袖側とに跨がるようにして衣服の脇の下部分の内側に貼着して使用される。
【０００４】
このような脇用汗取りパッドとしては、下記特許文献１において、折れ曲がりを容易にするための屈曲用ラインが、シート本体の中央部を通る直線である基準線から離れる側に凸形状をなす弧状に形成されており、かつ、前記基準線の位置に直線状に設けられたものが開示されている。また、下記特許文献２においては、シート本体の中央部に延びる仕切り線の両側に多数のエンボス凹部が形成された脇用汗取りパッドが開示されている。
【先行技術文献】
【特許文献】
【０００５】
【特許文献１】特開２００９−１２１０００号公報
【特許文献２】特開２００９−１２１００１号公報
【発明の概要】
【発明が解決しようとする課題】
【０００６】
しかしながら、上記特許文献１、２に記載されるような脇用汗取りパッドでは、２つ折りにして衣服の脇の下部分に取り付けた際に、脇用汗取りパッドを２つ折りにした折り線が直線であるにもかかわらず、袖ぐり形状は曲線であるため、脇用汗取りパッドが袖ぐり形状に沿ってフィットせず、袖ぐりの曲線から浮いた状態で取り付けられることから、腕を動かしたときに脇の下に脇用汗取りパッドの折り曲げ部分が当たって、違和感を感じる場合があった。また、厚みがある吸収体が２つ折りにした部分でよれたり皺になったりするため、装着時にゴワ付き感などを感じる場合があった。
【０００７】
そこで本発明の主たる課題は、衣服の袖ぐり形状にフィットし、違和感なく装着できるようにした脇用汗取りパッドを提供することにある。
【課題を解決するための手段】
【０００８】
上記課題を解決するために請求項１に係る本発明として、吸収体と前記吸収体の肌側に配置された透液性の表面シートと前記吸収体の衣服側に配置された不透液性の裏面シートとを備え、衣服の脇の下部分の内側に取り付けて使用する脇用汗取りパッドであって、
前記脇用汗取りパッドは、屈曲線で前記裏面シート側に折り曲げられ、その両側がそれぞれ、装着時に衣服の胴部側に配置される胴側領域及び衣服の袖部側に配置される袖側領域を形成し、
前記屈曲線を中心に前記胴側領域及び袖側領域に跨がって、前記吸収体を厚み方向に貫通させた吸収体開口部が連続的又は不連続的に形成され、前記脇用汗取りパッドを前記屈曲線で折り曲げた状態で、前記吸収体開口部の外形線が衣服の袖ぐり形状に沿うように形成されるとともに、前記吸収体開口部の外周部に沿って対向する前記裏面シート同士を接合した接合部が形成されていることを特徴とする脇用汗取りパッドが提供される。
【０００９】
上記請求項１記載の発明では、前記屈曲線を中心に前記胴側領域及び袖側領域に跨がって、前記吸収体を厚み方向に貫通させた吸収体開口部が連続的又は不連続的に形成され、前記脇用汗取りパッドを前記屈曲線で折り曲げた状態で、前記吸収体開口部の外形線が衣服の袖ぐり形状に沿うように形成されているため、腕を動かしたときなどに吸収体の折り曲げ部分による違和感がなく、装着時のゴワ付き感なども生じなくなる。
【００１０】
また、前記脇用汗取りパッドを前記屈曲線で折り曲げた状態で、前記吸収体開口部の外周部に沿って対向する前記裏面シート同士を接合した接合部が形成されているため、前記吸収体開口部の外形線が衣服の袖ぐり形状に沿った状態が維持できるとともに、吸収体開口部から汗が漏れることなく、しっかりと汗を吸収することができるようになる。
【００１１】
請求項２に係る本発明として、前記吸収体開口部と厚み方向に重なる位置に、前記裏面シートを厚み方向に貫通させた裏面シート開口部が設けられ、前記吸収体開口部と前記裏面シート開口部とがほぼ同じ形状で形成されている請求項１記載の脇用汗取りパッドが提供される。
【００１２】
上記請求項２記載の発明は、前記吸収体開口部と厚み方向に重なる位置に、前記裏面シートを厚み方向に貫通させた裏面シート開口部を設けた第１の実施形態例であって、前記吸収体開口部と前記裏面シート開口部とをほぼ同じ形状で形成したものである。これによって、装着時に脇の下の折り曲げ部分の端部まで吸収体が介在するため、汗を確実に吸収することができるようになる。
【００１３】
請求項３に係る本発明として、前記吸収体開口部と厚み方向に重なる位置に、前記裏面シートを厚み方向に貫通させた裏面シート開口部が設けられ、前記裏面シート開口部が前記吸収体開口部より小さな面積で形成されている請求項１記載の脇用汗取りパッドが提供される。
【００１４】
上記請求項３記載の発明は、前記吸収体開口部と厚み方向に重なる位置に、前記裏面シートを厚み方向に貫通させた裏面シート開口部を設けた第２の実施形態例であって、前記裏面シート開口部を前記吸収体開口部より小さな面積で形成したものである。これによって、脇の下の折り曲げ部分において両側の吸収体の間に裏面シートが突出して設けられるため（図７参照。）、折り曲げ部分から汗が漏れるのが確実に防止できる。
【００１５】
請求項４に係る本発明として、前記裏面シートには開口部が形成されていない請求項１記載の脇用汗取りパッドが提供される。
【００１６】
上記請求項４記載の発明は、前記裏面シートに開口部を形成しない形態例である。この場合には、脇の下の折り曲げ部分から汗が漏れるのがより確実に防止できる。この場合においても、吸収体開口部の外形線が衣服の袖ぐり形状に沿った状態が維持できるように、前記屈曲線で折り曲げた状態で前記吸収体開口部の外周部に沿って対向する裏面シート同士を接合するようにする。
【００１７】
請求項５に係る本発明として、前記表面シートには開口部が形成されていない請求項１〜４いずれかに記載の脇用汗取りパッドが提供される。
【００１８】
上記請求項５記載の発明では、前記表面シートに開口部を形成しないことにより、前記脇用汗取りパッドを前記屈曲線で折り曲げた状態で、表面シートが吸収体開口部の外形線から吸収体開口部内に延在して配置されるようになる。これによって、吸収体開口部内に延在した表面シート部分が脇の下と柔らかく接触し装着感が良好になるとともに、この肌面に接触した表面シートが脇の汗を素早く吸収することによって、脇の汗が肌を伝って流れるのが防止できるようになる。
【００１９】
請求項６に係る本発明として、前記吸収体開口部の外形線のうち、前記胴側領域及び袖側領域に対向する部分は、外側に膨出する曲線形状で形成されている請求項１〜５いずれかに記載の脇用汗取りパッドが提供される。
【００２０】
上記請求項６記載の発明では、前記吸収体開口部の外形線が確実に衣服の袖ぐり形状に沿って形成されるようにするため、前記吸収体開口部の外形線のうち、前記胴側領域及び袖側領域に対向する部分を、外側に膨出する曲線形状で形成している。
【００２１】
請求項７に係る本発明として、前記吸収体開口部は、前記屈曲線を中心に前記胴側領域及び袖側領域に跨がる連続的なパターンで形成され、前記屈曲線に沿う方向に長い横長の平面形状で形成されている請求項１〜６いずれかに記載の脇用汗取りパッドが提供される。
【００２２】
上記請求項７記載の発明では、前記吸収体開口部として、前記屈曲線を中心に前記胴側領域及び袖側領域に跨がる連続的なパターンで形成した場合において、前記吸収体開口部の外形線が確実に衣服の袖ぐり形状に沿うように、前記吸収体開口部を前記屈曲線に沿う方向に長い横長の平面形状（楕円形など）で形成している。
【００２３】
請求項８に係る本発明として、前記吸収体開口部は、少なくとも前記屈曲線に沿って所定の幅で形成された区画用吸収体によって区画されることにより、前記区画用吸収体の両側にそれぞれ離隔して配置された不連続的なパターンで形成されている請求項１〜６いずれかに記載の脇用汗取りパッドが提供される。
【００２４】
上記請求項８記載の発明では、前記吸収体開口部が、少なくとも前記屈曲線に沿って所定の幅で形成された区画用吸収体によって区画されることにより、前記区画用吸収体の両側にそれぞれ離隔して配置された不連続的なパターンで形成している。これによって、前記区画用吸収体が、腕の動きなどに追従して脇の下にフィットするため、装着時に違和感を感じにくく、脇の汗をより確実に吸収できるようになる。
【発明の効果】
【００２５】
以上詳説のとおり本発明によれば、衣服の袖ぐり形状にフィットし、違和感なく装着できるようになる。
【図面の簡単な説明】
【００２６】
【図１】本発明に係る脇用汗取りパッド１の一部破断展開図である。
【図２】図１のII−II線矢視図である。
【図３】屈曲線５で折り曲げた状態を示す、脇用汗取りパッド１の正面図である。
【図４】屈曲線５で折り曲げた状態を示す、脇用汗取りパッド１の斜視図である。
【図５】屈曲線５で折り曲げた状態の縦断面図（図４のV−V線矢視図）である。
【図６】変形例（その１）に係る脇用汗取りパッド１の裏面図である。
【図７】変形例（その１）に係る脇用汗取りパッド１を屈曲線５で折り曲げた状態の縦断面図である。
【図８】変形例（その２）に係る脇用汗取りパッド１の裏面図である。
【図９】変形例（その２）に係る脇用汗取りパッド１を屈曲線５で折り曲げた状態の縦断面図である。
【図１０】変形例（その３）に係る脇用汗取りパッド１の裏面図である。
【図１１】変形例（その４）に係る脇用汗取りパッド１の裏面図である。
【図１２】変形例（その５）に係る脇用汗取りパッド１の裏面図である。
【図１３】変形例（その５）に係る脇用汗取りパッド１を屈曲線５で折り曲げた状態の縦断面図である。
【図１４】変形例（その６）に係る脇用汗取りパッド１の裏面図である。
【図１５】変形例（その７）に係る脇用汗取りパッド１の裏面図である。
【図１６】変形例（その８）に係る脇用汗取りパッド１の裏面図である。
【発明を実施するための形態】
【００２７】
以下、本発明の実施の形態について図面を参照しながら詳述する。
【００２８】
〔脇用汗取りパッド１の基本構成〕
本発明に係る脇用汗取りパッド１は、図１及び図２に示されるように、ポリエチレンシート、ポリプロピレンシートなどからなる不透液性の裏面シート２と、汗を速やかに透過させる透液性の表面シート３と、これら両シート２，３間に介在された汗を吸収する吸収体４とを備えている。前記裏面シート２、表面シート３及び吸収体４は、これらの外形がほぼ同等の大きさを有し、各層間を接着剤などの接合手段によって接合した構造及び外周部などをヒートシールや超音波シール等の接合手段によって接合した構造のいずれか又は両方としてもよいし、前記吸収体４の周囲において前記吸収体４より外側に延出させた裏面シート２と表面シート３との外縁部を、接着剤やヒートシール、超音波シールなどの接合手段によって接合した構造としてもよい。
【００２９】
前記脇用汗取りパッド１は、衣服の脇の下部分の内側に取り付けて使用され、前記表面シート３を肌側、前記裏面シート２を衣服側に向けて装着される。
【００３０】
前記脇用汗取りパッド１は、所定の屈曲線５で折り曲げた状態で衣服に取り付けられる。衣服への取り付けに際して、前記屈曲線５は、衣服の胴部と袖部との境界部に設けられた袖ぐり（アームホール）周縁の縫合線にほぼ沿うようにして配置され、前記屈曲線５の両側はそれぞれ、衣服の胴部側に配置される胴側領域６及び衣服の袖部側に配置される袖側領域７を形成する。前記胴側領域６は、前記袖側領域７より大きな面積で形成され、より多くの汗が吸収できるようになっている。図１では、屈曲線５の上側に袖側領域７が形成され、屈曲線５の下側に胴側領域６が形成されている。前記屈曲線５には、該屈曲線５での折り曲げを容易にするため、屈曲線５に沿って線状のエンボスを施してもよいし、本例のように左右の外形線にそれぞれくびれ部８が形成される場合には特に何も加工を施さなくてもよい。
【００３１】
前記胴側領域６及び袖側領域７にはそれぞれ、前記裏面シート２の外面側（衣服当接面側）に、衣服に対する固定のため適宜の塗布パターンによってズレ止め粘着剤層９、１０が設けられ、これらズレ止め粘着剤層９、１０がそれぞれ剥離シート（図示せず）で覆われている。前記ズレ止め粘着剤層９、１０はそれぞれ、前記屈曲線５と直交する方向の外方側端部から所定の内側位置にかけてほぼ全幅に亘って形成されている。前記ズレ止め粘着剤層９、１０が形成される前記屈曲線５と直交する方向の範囲としては、好ましくは胴側領域６及び袖側領域７の長さに対して半分以上の範囲、より好ましくは前記胴側領域６及び袖側領域７の長さに対して外方側端部から２／３以上の範囲とするのがよい。また、前記屈曲線５及びその両側の所定の範囲には前記ズレ止め粘着剤層９、１０が設けられない領域が脇用汗取りパッド１の全幅に亘って存在している。
【００３２】
前記脇用汗取りパッド１の平面形状は、図１に示されるように、左右の外形線の中間部に左右一対のくびれ部８が形成されている。前記くびれ部８は、前記胴側領域６及び袖側領域７の境界部分において内側に凹む滑らかな凹状の曲線によって形成されている。これにより、前記脇用汗取りパッド１は、略ひょうたん形の平面形状を成している。左右のくびれ部８、８における凹状の曲線の頂部同士を結ぶ位置に、前記屈曲線５が設けられている。前記くびれ部８、８を設けることにより、脇用汗取りパッド１が、このくびれ部８の最もくびれた部分を基点として折り曲がりやすくなる。
【００３３】
少なくとも前記胴側領域６の外形線は、図１に示されるように、円弧又は楕円弧で形成するのが好ましい。つまり、少なくとも胴側領域６において外形線に凹凸が形成されず、外側に膨出する単一の滑らかな曲線で形成するのが好ましい。これにより、肌との擦れが少なくなり、装着感に優れるようになる。なお、図示例のように、袖側領域７の外形線についても、円弧又は楕円弧で形成するのが好ましい。
【００３４】
以下、さらに前記脇用汗取りパッド１の構造について詳述すると、
前記裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。非透湿性のものでもよいが、ムレ防止の観点から透湿性を有するものが好ましい。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。特に好ましいものはポリエチレンフィルムであり、目立ちにくくするためベージュ色又はこれと同系の色とするのがよい。
【００３５】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。目付けとしては、１０〜５０ｇ／ｍ２、好ましくは１５〜３５ｇ／ｍ２とするのがよい。
【００３６】
前記裏面シート２と表面シート３との間に介在される吸収体４は、汗を吸収保持する性質を有するものであれば公知のものを使用できる。たとえば、パルプ、高吸水性樹脂などを含むことができる。また、パルプ中に化学繊維を混入させてもよい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４としては、積繊体でもよいが、嵩を小さくできるエアレイド吸収体を用いるのが好ましい。前記エアレイド吸収体としては、パルプのみからなる不織布又はパルプとポリマーとからなる不織布でも良いし、その他バインダが含まれていても良い。また、２層の不織布層間に高吸水性樹脂を配置してなるポリマーシートを用いてもよい。吸収体４の目付けとしては、５０〜１５０ｇ／ｍ２とするのがよい。前記吸収体４は、形状保持、および汗を速やかに拡散させるとともに、一旦吸収した汗の逆戻りを防止するためにクレープ紙又は不織布などからなる被包シートによって囲繞してもよい。
〔袖ぐり形状に対する適合構造〕
次に、前記脇用汗取りパッド１を袖ぐり形状に適合させやすくするための構造について説明する。
【００３７】
前記脇用汗取りパッド１では、前記屈曲線５を中心に胴側領域６及び袖側領域７に跨がって、前記吸収体４を厚み方向に貫通させた吸収体開口部１２が連続的又は不連続的に形成されている。
【００３８】
前記吸収体開口部１２は、図１に示されるように、前記脇用汗取りパッド１の平面視で、前記吸収体４の前記屈曲線５が延びる方向及びこれと直交する方向のそれぞれ中間部に形成され、前記吸収体開口部１２の周囲には全周に亘って吸収体４が存在している。前記吸収体開口部１２の外形線と吸収体４の外縁との離隔距離は、前記屈曲線５が延びる方向に対して、５ｍｍ以上、好ましくは８〜３０ｍｍとするのがよい。また、前記屈曲線５と直交する方向に対して、前記吸収体開口部１２は、前記ズレ止め粘着剤層９、１０と重ならない範囲であって、前記ズレ止め粘着剤層９、１０の間に位置している。
【００３９】
前記吸収体開口部１２が連続的に形成されるとは、図１、図６、図８、図１０及び図１１に示されるように、前記吸収体開口部１２が前記屈曲線５を跨いで胴側領域６及び袖側領域７に連続して設けられた１つの開口部からなることを意味する。また、前記吸収体開口部１２が不連続的に形成されるとは、詳細には後段で説明するが、図１２、図１４、図１５及び図１６に示されるように、前記吸収体開口部１２が、少なくとも前記屈曲線５に沿って所定の幅で形成された区画用吸収体１６によって区画されることにより、前記区画用吸収体１６の両側にそれぞれ離隔して配置された複数の不連続的な開口部からなることを意味する。
【００４０】
図３及び図４に示されるように、前記脇用汗取りパッド１を前記屈曲線５で折り曲げた状態で、前記吸収体開口部１２の外形線が衣服の袖ぐり形状に沿うように形成されている。すなわち、脇用汗取りパッド１を前記屈曲線５で裏面シート２側に折り曲げた状態で、この折り曲げ部分に、前記吸収体開口部１２を略半分にした形状の吸収体４の凹部１３が形成され、この吸収体凹部１３の外形線が袖ぐり形状に沿うように形成されている。袖ぐり形状に沿うように形成されるとは、一般に袖ぐり形状が円形または楕円形で形成されることから、前記吸収体凹部１３の少なくとも一部が円形又は楕円形によって形成されることである。
【００４１】
また、本脇用汗取りパッド１では、図３〜図５に示されるように、前記脇用汗取りパッド１を前記屈曲線５で折り曲げた状態で、前記吸収体開口部１２の外周部に沿って対向する裏面シート２、２同士を剥離不能に接合した接着剤やヒートシール、超音波シールなどからなる接合部１４が形成されている。前記接合部１４は、吸収体開口部１２の外周部に沿って、吸収体開口部１２のほぼ全周に亘って形成することにより、前記脇用汗取りパッド１を屈曲線５で折り曲げた状態で、略半分に折り返された前記接合部１４、１４同士が接合されるようにするのが好ましい。本脇用汗取りパッド１は、製品状態において、図３及び図４に示されるように、前記屈曲線５で裏面シート２側に折り畳まれ、前記接合部１４で裏面シート２、２同士が接合された状態で包装される。
【００４２】
以上の構成からなる脇用汗取りパッド１では、前記屈曲線５で折り曲げた状態で、前記吸収体開口部１２の外形線が衣服の袖ぐり形状に沿うように形成されているため、脇用汗取りパッド１を衣服の脇の下部分の内側に取り付けた際、吸収体開口部１２の外形線が衣服の袖ぐり形状に沿ってフィットし、腕を動かしたときなどに吸収体の折り曲げ部分による違和感がなくなり、装着時のゴワ付き感なども生じなくなる。
【００４３】
また、本脇用汗取りパッド１では、前記屈曲線５で折り曲げた状態で、前記吸収体開口部１２の外周部に沿って対向する裏面シート２、２同士を接合した接合部１４が形成されているため、前記吸収体開口部１２の外形線が衣服の袖ぐり形状に沿った状態が維持できるとともに、前記吸収体開口部１２に合わせた裏面シート２の開口部を設けた場合でも、これらの吸収体開口部１２や裏面シート２の開口部から汗が漏れることがなく、しっかりと汗を吸収できるようになる。
【００４４】
更に詳細に前記脇用汗取りパッド１について説明すると、前記裏面シート２には、前記吸収体開口部１２に合わせて、該裏面シート２を厚み方向に貫通させた開口部を設けてもよいし、設けなくてもよい。図１及び図２に示される形態例では、前記吸収体開口部１２と厚み方向に重なる位置に、裏面シート開口部１５が設けられ、この裏面シート開口部１５が、前記吸収体開口部１２とほぼ同じ形状で形成されている。すなわち、図２に示されるように、吸収体開口部１２の外形線と裏面シート開口部１５の外形線とが厚み方向にほぼ一致しており、吸収体４及び裏面シート２のいずれか一方が開口部に延在しない状態で配置されている。これによって、前記脇用汗取りパッド１を屈曲線５で折り曲げた状態で、図４及び図５に示されるように、折り曲げ部分の端部まで吸収体４が介在するため、汗を確実に吸収することができるようになる。
【００４５】
また、前記吸収体開口部１２と厚み方向に重なる位置に、裏面シート２を厚み方向に貫通させた裏面シート開口部１５を設けた形態において、図６及び図７に示されるように、前記裏面シート開口部１５が吸収体開口部１２より小さな面積で形成されるようにしてもよい。すなわち、裏面シート２が吸収体開口部１２の内側に延在するようにしてもよい。これによって、脇用汗取りパッド１を前記屈曲線５で折り曲げた状態で、図７に示されるように、吸収体開口部１２に延在した裏面シート２、２が、両側の吸収体４、４の間から突出するため、この折り曲げ部分からの汗の漏れがより確実に防止できるようになる。このとき、前記接合部１４は、図示例のように、吸収体４より吸収体開口部１２の内側に延在した裏面シート２部分に設けてもよいし、吸収体４と重なる部分に設けてもよい。汗を吸収体４に確実に吸収できるようにし、両側の吸収体４、４間からの汗の漏れをより確実に防止するという点では前者の方が好ましく、袖ぐり形状に沿って形成された吸収体開口部１２の外形線より肌側に接合部１４を延在させないことにより、装着感の低下を抑えるという点では後者の方が好ましい。
【００４６】
一方、図８及び図９に示されるように、前記裏面シート２には開口部を形成しなくてもよい。ここでいう開口部とは、衣服の袖ぐり形状に沿うように形成されたある程度の大きさを有する開口部のことであり、透湿性確保のために設けられた微細な多数の開孔などとは異なるものである。吸収体開口部１２からの汗の漏れを防止するという観点からは裏面シート２に開口を形成しないのが好ましいが、裏面シート２に開口を形成しない場合には、図９に示されるように、前記屈曲線５で折り曲げた状態で、袖ぐり形状に沿って形成された吸収体開口部１２の外形線より肌側に、折り返された裏面シート２部分が介在することとなるため、脇の下に接触するシートの柔軟性が若干損なわれ、装着感がわずかながら低下するおそれがある。前記裏面シート２に開口を設けない場合でも、吸収体開口部１２の外形線が衣服の袖ぐり形状に沿った状態が維持できるように、脇用汗取りパッド１を前記屈曲線５で折り曲げた状態で、前記吸収体開口部１２の外周部に沿って対向する裏面シート２、２同士を接合するようにしている。
【００４７】
本脇用汗取りパッド１では、前記表面シート３には開口部を形成しないのが好ましい。ここでいう開口部とは、衣服の袖ぐり形状に沿うように形成されたある程度の大きさを有する開口部のことであり、透液性の向上などのために設けられた微細な多数の開孔などとは異なるものである。前記表面シート３に開口部を形成しないことにより、前記脇用汗取りパッド１を前記屈曲線５で折り曲げた際に、前記屈曲線５で折り返された表面シート３が、吸収体開口部１２において吸収体４の端縁から吸収体開口部１２内に延在して配置されるようになる。すなわち、吸収体開口部１２が胴側領域６と袖側領域７とに跨がる連続的な１つの開口からなる場合、脇用汗取りパッド１を屈曲線５で折り曲げた際の吸収体凹部１３（図４参照。）には吸収体が介在せず、表面シート３のみが配置されるようになる。これによって、吸収体開口部１２内に延在した表面シート３が着用者の脇の下と柔らかく接触し、装着感を向上させるとともに、この脇の下に接触した表面シート３部分が脇の汗を素早く吸収することによって、脇の汗が肌を伝って流れるのが防止できる。また、前記吸収体開口部１２内に延在した表面シート３部分は、いずれの部材にも固定されないため、身体の動きに追従して容易に変形でき、装着感がより一層向上するとともに、脇の下に対する追従性が高くなる。なお、上述の前記裏面シート２に開口部が形成されない形態例（図８及び図９）において、前記吸収体開口部１２で表面シート３と裏面シート２とを接合してもよいし、接合しなくてもよい。これらを接合する場合は、裏面シート２及び表面シート３にそれぞれ前記吸収体開口部１２に対応する接着剤の非塗布領域を設けなくてもよい分、製造が簡略化できる。一方、これらを接合しない場合は、前記屈曲線５で折り曲げた状態で表面シート３と裏面シート２がそれぞれ独立的に変形できるため、脇の下に接触したときの柔軟性を高めることができる。
【００４８】
前記吸収体開口部１２の平面形状は、屈曲線５に沿う方向に長い横長の形状であるのが好ましい。具体的には、楕円形やラグビーボール形状、レモン形状、人の瞳形状などで形成するのがよい。これにより、図３及び図４に示されるように、脇用汗取りパッド１を前記屈曲線５で折り曲げた状態で、この折り曲げ部分に、前記吸収体開口部１２を長軸方向の中心線で略半分にした曲線形状の凹部１３が形成されるようになる。また、前記吸収体開口部１２の平面形状は、図１０及び図１１に示されるように、前記吸収体開口部１２の外形線のうち、少なくとも前記胴側領域６及び袖側領域７に対向する部分１２ａ、１２ｂがそれぞれ、外側に膨出する曲線形状で形成されていれば、両側部１２ｃ、１２ｃは、直線形状（図１０）や内側に膨出する凸形状（図１１）などとしてもよい。少なくとも胴側領域６及び袖側領域７に対向する部分１２ａ、１２ｂがそれぞれ袖ぐり形状に沿った曲線形状で形成されていれば装着感が損なわれないため、両側部１２ｃは任意の形状で形成することができる。また、両側部１２ｃを直線形状などとすることにより、吸収体開口部１２を楕円形状などの両側部が外側に膨出する形状とした場合に比べ、吸収体開口部１２の両側部分の吸収体幅を大きくとることができ、体液の吸収性能が向上できる。
【００４９】
上記形態例では、前記吸収体開口部１２が、前記屈曲線５を中心に胴側領域６及び袖側領域７に跨がる連続的なパターンで形成されていたが、変形例として、図１２〜図１６に示されるように、前記吸収体開口部１２が、少なくとも前記屈曲線５に沿って所定の幅で形成された区画用吸収体１６によって区画されることにより、前記区画用吸収体１６の両側にそれぞれ離隔して配置された不連続的なパターンで形成してもよい。前記区画用吸収体１６は、周囲の吸収体４から連続して延在する吸収体部分であり、連続する１枚のシート状の吸収体に対して前記吸収体開口部１２…に対応する部分に開口処理を施すことによって形成されるものであり、素材や目付等は周囲の吸収体４と同様に形成されている。前記区画用吸収体１６を設けることにより、図１３に示されるように、脇用汗取りパッド１を屈曲線５で折り曲げた状態で、少なくとも両端が固定された前記区画用吸収体１６が折り曲げ部分の頂部に折り曲げ部分に沿って配置されるため、前記区画用吸収体１６が表面シート３とともに身体の動きに合わせて自由に動くことができ、装着時の違和感を生じることなく、前記区画用吸収体１６によって効果的に脇の汗を吸収することができるようになる。
【００５０】
図１２に示されるように、前記区画用吸収体１６の幅Ｂとしては、前記吸収体開口部１２の開口処理を施す際に、区画用吸収体１６が破断しない寸法であれば特に限定しないが、好ましくは前記吸収体開口部１２、１２の全体の大きさＡに対して、１／４以上、１／２以下とするのがよい（Ａ／４≦Ｂ≦Ａ／２）。
【００５１】
前記区画用吸収体１６は、いずれの部材にも接合しないようにしてもよいが、図１３に示されるように、透液性表面シート３に対して接着剤などによって接合するのが好ましく、これによって脇用汗取りパッド１を屈曲線５で折り曲げた状態で、区画用吸収体１６が皺やヨレを生じることなく、透液性表面シート３とともに腕の動きに合わせて変形しやすくなる。
【００５２】
図１２に示される形態例では、前記区画用吸収体１６が全長に亘ってほぼ等幅に形成され、その両側にそれぞれ略半楕円形の吸収体開口部１２、１２が配置されるようになっている。前記区画用吸収体１６を全長に亘ってほぼ等幅に形成することにより、装着時に脇の下に配置したときの違和感が軽減できるようになる。
【００５３】
図１４に示される形態例では、前記区画用吸収体１６が中央部で幅広に形成されている。この幅広の部分は、吸収体開口部１２の外形線に合わせたほぼ同心楕円形状に形成するのが好ましい。これによって、前記区画用吸収体１６の両側に配置された吸収体開口部１２が、ほぼ等幅の略半リング状に形成されるようになる。前記区画用吸収体１６の中央部を幅広に形成することにより、両端部の幅狭部分によって変形の自由度が向上するとともに、装着時に脇の下に配置したときに幅広の区画用吸収体１６部分によって脇の汗をしっかりと吸収できるようになる。
【００５４】
また、図１５及び図１６に示されるように、前記区画用吸収体１６の平面形状として、屈曲線５に沿って延びる部分の中央部から前記屈曲線５と直交する方向に延びる部分を備えた略十字形に形成することにより、前記吸収体開口部１２、１２…が４つに区画されるようにしてもよい。これにより、区画用吸収体１６の変形の自由度を抑えつつ、略十字形に形成された区画用吸収体１６によって脇の汗の吸収効率を高めることができるようになる。
【００５５】
次に、前記脇用汗取りパッド１の製造方法について説明する。図１及び図２に示されるように、前記吸収体開口部１２と裏面シート開口部１５とがほぼ同じ形状で形成された脇用汗取りパッド１では、接着剤などによって接合した前記吸収体４及び裏面シート２の積層体をダイカッターなどの切断装置に導入し、前記吸収体開口部１２及び裏面シート開口部１５の外形線に沿って前記吸収体４及び裏面シート２を一体的に切断する。また、図６及び図７に示されるように、吸収体開口部１２と裏面シート開口部１５とが異なる大きさで形成された脇用汗取りパッド１では、吸収体４及び裏面シート２をそれぞれダイカッターなどの切断装置に導入し、吸収体開口部１２又は裏面シート開口部１５をそれぞれ形成した後、これらの開口部１２、１５がそれぞれ形成された吸収体４及び裏面シート２を接着剤などによって接合する。更に、図８及び図９に示されるように、裏面シート２に開口部が設けられない場合、吸収体４をダイカッターなどの切断装置に導入し、吸収体開口部１２を形成した後、裏面シート２を接着剤などによって接合する。
【００５６】
このようにして形成した吸収体４と裏面シート２の積層体に、表面シート３を積層し、これら表面シート３、吸収体４及び裏面シート２を一体的に外形線に沿ってダイカッターなどの切断装置で切断する。
【００５７】
個々の製品形状に切断された前記裏面シート２の外面に、前記接合部１４及びズレ止め粘着剤層９、１０に対応する粘着剤をそれぞれ塗布し、前記ズレ止め粘着剤層９、１０をそれぞれ剥離シートで覆う。その後、前記屈曲線５で折り曲げ、前記接合部１４によって前記吸収体開口部１２の外周部に沿った部分の前記裏面シート２、２同士を剥離不能に接合する。
【００５８】
以上のようにして製造された脇用汗取りパッド１は、前記屈曲線５で折り曲げた状態で１枚ずつ又は複数枚まとめて包装される。
【００５９】
次に、前記脇用汗取りパッド１を衣服に装着する手順について説明すると、前記ズレ止め粘着剤層９、１０を覆う剥離シートを剥がして、前記屈曲線５を衣服の袖ぐり形状に合わせつつ、前記ズレ止め粘着剤層９、１０をそれぞれ衣服の胴部側及び袖部側に貼着する。
【符号の説明】
【００６０】
１…脇用汗取りパッド、２…裏面シート、３…表面シート、４…吸収体、５…屈曲線、６…胴側領域、７…袖側領域、８…くびれ部、９・１０…ズレ止め粘着剤層、１２…吸収体開口部、１３…吸収体凹部、１４…接合部、１５…裏面シート開口部、１６…区画用吸収体
【図１】
2019170627.tif 000003
【図２】
2019170627.tif 000004
【図３】
2019170627.tif 000005
【図４】
2019170627.tif 000006
【図５】
2019170627.tif 000007
【図６】
2019170627.tif 000008
【図７】
2019170627.tif 000009
【図８】
2019170627.tif 000010
【図９】
2019170627.tif 000011
【図１０】
2019170627.tif 000012
【図１１】
2019170627.tif 000013
【図１２】
2019170627.tif 000014
【図１３】
2019170627.tif 000015
【図１４】
2019170627.tif 000016
【図１５】
2019170627.tif 000017
【図１６】
2019170627.tif 000018